(57)【要約】【課題】  夜のイベント会場等の発光グッズとして好適な光輝度の高い発光ワッペンを提供する。【解決手段】  混合により化学発光現象を生起する二液４ａ、４ｂを一方４ａはそのまま又他方の液４ｂは破割性アンプル５に封入して可撓性と透光性を有する扁平な容器１に収容することにより化学発光基盤Ｋを形成し、前記化学発光基盤Ｋの裏面に反射部１０を設けると共に前記反射部１０の表面に止着部１５を設けたことを特徴としており、ワッペンの被着者が任意の時にワッペンを撓ませることにより化学発光基盤Ｋに収納されている破割性アンプル５を破割して発光させ、化学発光基盤Ｋから発光する光が被貼着物の色や物性によって吸収されることなく有効に輝くようにした。【選択図】      図２
2005037700.tif 000002
【特許請求の範囲】
【請求項１】
混合により化学発光現象を生起する二液を一方はそのまま又他方の液は破割性アンプルに封入して可撓性と透光性を有する扁平な容器に収容することにより化学発光基盤を形成し、前記化学発光基盤の裏面に反射部を設けると共に前記反射部の表面に止着部を設けたことを特徴とする発光ワッペン。
【請求項２】
化学発光基盤が、扁平な容器の内部を隔壁により複数の室に区画形成され、前記区画された各室毎に収容される二液の混合時の発光色が各部屋毎に異なることを特徴とする請求項１記載の発光ワッペン。
【請求項３】
化学発光基盤の表面に、文字や模様、紋章、図柄等の印刷層を形成したことを特徴とする請求項１又は請求項２記載の発光ワッペン。
【請求項４】
化学発光基盤の表面に、文字や模様、紋章、図柄等の印刷を施した透光性シールを貼着したことを特徴とする請求項１又は請求項２記載の発光ワッペン。
【発明の詳細な説明】
【技術分野】
【０００１】
本発明は、暗い場所において、衣服や携帯物に止着することにより文字や模様、紋章、図柄等を光で表示する発光ワッペンに関する。
【背景技術】
【０００２】
従来より、暗い場所でも十分認識できるワッペンとして、特開平０９−１５８０６４号に開示された「発光ワッペン」が公知である。
【特許文献１】特開平０９−１５８０６４号公報
【０００３】
上記従来の発光ワッペンは、シリコーン樹脂と、硬化剤と、粉状発光塗料と、を混合させて成る発光溶剤を、生地の表面に高温高圧で溶着固化させた後、ワッペン用抜型を用いて、所定形状に型抜きした物である。ワッペン全体が所定の文字や形を表示する単色の発光体であり、これを被服や鞄に貼着することにより、ワッペンが太陽光や蛍光灯に曝露されて発光塗料が畜光すると共に、暗所において発光塗料が発光する。したがって、貼着ワッペンにより人の存在が確認されることから、交通事故等の防止に効果的であるというものである。
【発明の開示】
【発明が解決しようとする課題】
【０００４】
しかしながら、この従来の発光ワッペンは、夜間での単なる認識用の発光ワッペンとしては有効であるが、複数の文字や複雑な紋章や模様、キャラクターの図柄やアイドルを表示したり、任意の時間に発光させたり、複数色を同時に又は任意の時間に発光させるような、多彩な機能は有していない。
【０００５】
例えば、夜のイベント会場等においては、キャラクターや特定の紋章を表示したワッペンを止着することにより、入場者が自己の所属や共通の雰囲気を共感して会場を盛り上げることができるが、上記旧来の発光ワッペンは、このような光を使ったイベント会場用の小道具としての機能性に乏しかった。
【０００６】
また、暗所での有効な発光体として化学発光体（例えば、実開平６−６８２０１号に記載の化学発光体）が公知であるが、従来の化学発光体を扁平にしたものは、光輝度が不十分となり夜のイベント用の発光ワッペンとして用いるには不満足なものだった。
【特許文献２】実開平６−６８２０１号公報
【０００７】
本発明は上記の問題に鑑みてなされたもので、より複雑な文字や模様、紋章、図柄等が表示できる夜のイベント会場等の発光グッズとして好適な発光ワッペンを提供することにある。
【課題を解決するための手段】
【０００８】
本発明は、混合により化学発光現象を生起する二液を一方はそのまま又他方の液は破割性アンプルに封入して可撓性と透光性を有する扁平な容器に収容することにより化学発光基盤を形成し、前記化学発光基盤の裏面に反射部を設けると共に前記反射部の表面に止着部を設けたことを特徴としている。任意の時に発光ワッペンを撓ませて収納されているアンプルを破割することにより発光させることができ、化学発光基盤から発光する光が反射部によって有効に輝き、イベント会場における発光性グッズとして十分な光輝度が得られるようにした。
【０００９】
また、化学発光基盤が、扁平な容器の内部を隔壁により複数の室に区画形成され、前記区画された各室毎に収容される二液の混合時の発光色が各部屋毎に異なる構成とすることにより、多彩に輝く発光ワッペンとすることができる。
【００１０】
また、化学発光基盤の表面に、文字や模様、紋章、図柄等の印刷層を形成することにより、シルエット、透光性の色彩写真等、多様な造影手段を駆使して光によるメッセージの表示ができる。
【００１１】
また、化学発光基盤の表面に、文字や模様、紋章、図柄等の印刷を施した透光性シールを貼着しても好い。
【発明の効果】
【００１２】
本発明は、以上説明したような形態で実施され、以下に記載されるような効果を奏する。
【００１３】
扁平な化学発光基盤の裏面に反射部を設け、反射部の表面に止着部を設けたので、扁平な化学発光基盤の光輝度が損なわれることなくワッペンとして止着することが可能になり、任意の時間に発光させることのできる夜のイベント会場に好適な発光ワッペンとすることができる。
【００１４】
また、扁平な化学発光基盤の表面に、直接印刷をしたり、印刷を施した透光性シールを貼着することにより、光による多様なメッセージの表示が可能であり、今までにない多彩な発光ワッペンとすることができる。
【発明を実施するための最良の形態】
【００１５】
以下、本発明の発光ワッペンの好適な実施の形態を添付図面を参照しながら詳細に説明する。
【００１６】
図１乃至図３は、本発明の発光ワッペンの第一の実施の形態を示しており、化学発光基盤Ｋと、この化学発光基盤Ｋの裏面に設けられた反射部１０と、この反射部１０の表面に設けられた止着部１５とから構成されている。
【００１７】
化学発光基盤Ｋは、蛍光液と酸化液との二種の液を混合することにより化学発光現象を生起する公知の化学発光体であり、可撓性と透光性を有するポリプロピレン樹脂から成る扁平な容器１内は、リブ状の隔壁２、２により三つの室３ａ、３ｂ、３ｃに区画されている。
【００１８】
三つの各室３ａ、３ｂ、３ｃには、混合することによりそれぞれ異なる発光色を生起する二液が、その内の一種の液４ａがそのまま形態で充填され、別種の液４ｂは破割性のガラスアンプル５に封入した形態で収納されている。
【００１９】
この実施の形態では、ガラスアンプル５を破壊して発光させたとき、矩形の各室３ａ、３ｂ、３ｃが赤、青、黄に発光し、ワッペンが光の三色旗になるように設定されている。
【００２０】
化学発光基盤Ｋの裏面には、銀紙、アルミ箔、金属蒸着フィルム、白色紙等、光が吸収されにくいペーパー状の薄い反射部１０が接着手段により形成されている。この反射部１０は、扁平な化学発光基盤Ｋが被服や鞄等の携帯品に直接貼着されると、被貼着物の色や物性によっては光が吸収されて光輝度が低下し、イベント会場での発光ワッペンとしては使用に耐えないという知見に基ずいて形成したものである。
【００２１】
反射部１０は、その反射面を鏡面としておくことが望ましいが、化学発光基盤Ｋの裏面に反射部１０として少なくとも光が吸収されにくい薄層を設けることにより、扁平な化学発光基盤Ｋを光輝度の高い発光ワッペンとすることが可能である。
【００２２】
従って、反射部１０は、ペーパー状の反射部材に限るものではなく、印刷手段や可撓性の高い合成樹脂板や薄肉の金属板を用いて形成しても好い。発光させるときは、化学発光基盤Ｋと共に反射部１０も撓ませてガラスアンプル５を破割する。
【００２３】
止着部１５は、反射部１０の表面に接着された接着剤１５ａと剥離紙１５ｂとから成る両面接着テープであり、発光ワッペンを被着面に止着する際には、剥離紙１５ｂを剥離して貼り付ける。
【００２４】
尚、止着部１０は、両面接着テープに限るものではなく、クリップ等公知の止着手段でも好い。
【００２５】
図４乃至図５は、本発明に係る発光ワッペンの第二の実施の形態を示すものである。図において、上記第一の実施の形態と共通する部分については同一符号を付しその説明を省略する。
【００２６】
この発光ワッペンは、基本的には、第一の実施の形態と同様に、扁平な化学発光基盤Ｋと、この化学発光基盤Ｋの裏面に設けられる反射部１０と、この反射部１０の表面に設けられる止着部１５とから構成され、扁平な化学発光基盤Ｋ内は、三つの室３ａ、３ｂ、３ｃに区画され、各室室３ａ、３ｂ、３ｃは二液４ａ、４ｂを混合することにより同じ発光色を生起する。
【００２７】
化学発光基盤Ｋの表面には、印刷手段により透明部２１と半透明部２２と不透明部２３とから成る造形図の印刷層２０が形成されている。このように、化学発光基盤Ｋの表面に、文字や模様、紋章、図柄等の印刷層２０を形成することにより、多様な造影手段を駆使して光による多様なメッセージの表示が可能であり、夜のイベントに好適な多彩な発光ワッペンとすることができる。
【００２８】
また、化学発光基盤Ｋの表面には、上記の印刷層２０に替わって文字や模様、紋章、図柄等の印刷を施した透光性シール（図指省略）を貼着しても好く、印刷層２０の形成と同様に光と影と色彩による効果を奏することができる。
【図面の簡単な説明】
【００２９】
【図１】本発明の発光ワッペンの好適な第一の実施の形態を示す正面図。
【図２】図１のＡ−Ａ位置の断面図。
【図３】図１のＢ−Ｂ位置の断面図。
【図４】本発明の発光ワッペンの好適な第二の実施の形態を示す正面図。
【図５】図４のＣ−Ｃ位置の断面図。
【符号の説明】
【００３０】
１  扁平な容器，２  隔壁，３ａ、３ｂ、３ｃ  室，４ａ  一種の液，４ｂ  別種の液，５  ガラスアンプル，１０  反射部，１５  止着部，１５ａ  接着剤，１５ｂ  剥離紙，２０  印刷層，Ｋ  化学発光基盤
【図１】
2005037700.tif 000003
【図２】
2005037700.tif 000004
【図３】
2005037700.tif 000005
【図４】
2005037700.tif 000006
【図５】
2005037700.tif 000007